(57)【要約】      （修正有）【課題】簡単な工程で製造可能な寝具カバーを提供する。【解決手段】ポリエステル繊維または弾性繊維を含み、また、寝具カバーの長さが２０〜３００ｃｍの範囲内であるとともに、寝具カバーの側部が無縫製であり、目付けとしては５０〜１５０ｇ／ｍ２の範囲内である平編、ゴム編、両面編、パール編、タック編、浮き編、片畔編、レース編、添え毛編、片側結接、ニットミス、リバーシブル天竺等の編み組織の丸編物を用いて円筒状寝具カバーを得る。【選択図】図１
2016000127.tif 000002
【特許請求の範囲】
【請求項１】
寝具カバーであって、円筒状であり、かつ丸編物を用いてなることを特徴とする寝具カバー。
【請求項２】
寝具カバーの側部が無縫製である、請求項１に記載の寝具カバー。
【請求項３】
寝具カバーが、ポリエステル繊維または弾性繊維を含む、請求項１または請求項２に記載の寝具カバー。
【請求項４】
寝具カバーの長さが２０〜３００ｃｍの範囲内である、請求項１〜３のいずれかに記載の寝具カバー。
【請求項５】
寝具カバーが布団カバーまたは枕カバーである、請求項１〜４のいずれかに記載の寝具カバー。
【発明の詳細な説明】
【技術分野】
【０００１】
本発明は、簡単な工程で製造可能な寝具カバーに関する。
【背景技術】
【０００２】
従来、布団カバーや枕カバーなどの寝具カバーにおいて種々のものが提案されている。例えば、特許文献１や特許文献２では、円筒状の布団カバーが提案されている。
しかしながら、円筒状の寝具カバーを製造する際に一枚物の布帛を円筒状に縫製する必要があった。
【先行技術文献】
【特許文献】
【０００３】
【特許文献１】特開平８−１０３３５８号公報
【特許文献２】特開２００５−２１１５９２号公報
【発明の概要】
【発明が解決しようとする課題】
【０００４】
本発明は上記の背景に鑑みなされたものであり、その目的は、簡単な工程で製造可能な寝具カバーを提供することにある。
【課題を解決するための手段】
【０００５】
本発明者らは上記の課題を達成するため鋭意検討した結果、丸編物を用いると、簡単な工程で寝具カバーが得られることを見出し、さらに鋭意検討を重ねることにより本発明を完成するに至った。
【０００６】
かくして、本発明によれば「寝具カバーであって、円筒状であり、かつ丸編物を用いてなることを特徴とする寝具カバー。」が提供される。
その際、寝具カバーの側部が無縫製であることが好ましい。また、寝具カバーが、ポリエステル繊維または弾性繊維を含むことが好ましい。また、寝具カバーの長さが２０〜３００ｃｍの範囲内であることが好ましい。また、寝具カバーが布団カバーまたは枕カバーであることが好ましい。
【発明の効果】
【０００７】
本発明によれば、簡単な工程で製造可能な寝具カバーが得られる。
【図面の簡単な説明】
【０００８】
【図１】実施例１で得られた布団カバーを模式的に示す図である。
【図２】比較例１で得られた布団カバーを模式的に示す図である。
【発明を実施するための形態】
【０００９】
以下、本発明の実施の形態について詳細に説明する。
まず、本発明の寝具カバーは円筒状であり、かつ丸編物を用いている。寝具カバーが円筒状であるので布団を出し入れしやすい。また、丸編物を用いることにより、側部を縫製することなく円筒状の寝具カバーを容易に得ることができる。また、伸縮性に優れる。
前記丸編物の編み組織としては、平編、ゴム編、両面編、パール編、タック編、浮き編、片畔編、レース編、添え毛編、片側結接、ニットミス、リバーシブル天竺等が例示されるがこれらに限定されるものではない。用いる編機も通常の丸編み機でよい。
前記丸編物において、目付けとしては５０〜１５０ｇ／ｍ２の範囲内であることが好ましい。
【００１０】
また、本発明の寝具カバーにおいて、寝具カバー（円筒）の側部が無縫製であることが好ましい。側部に縫製部があると、側部を縫製する工程が必要となるだけでなく、寝具カバーを使用する際、該縫製部が人体側に位置しないよう調整する必要があり、取扱い性が低下するおそれがある。
【００１１】
本発明の寝具カバーにおいて、寝具カバーの長さＬとしては２０〜３００ｃｍの範囲内であることが好ましい。例えば、布団カバーの場合は１５０〜３００ｃｍ、枕カバーの場合は５０〜１５０ｃｍの範囲内であることが好ましい。なお、前記の寝具カバーの長さＬは、寝具カバーを平らな平面上におき張力をかけずに測定するものとする。
本発明の寝具カバーにおいて、寝具カバーの巾Ｗとしては２０〜２００ｃｍの範囲内であることが好ましい。例えば、布団カバーの場合は８０〜２００ｃｍ、枕カバーの場合は３０〜６０ｃｍの範囲内であることが好ましい。なお、前記の寝具カバーの巾Ｗは、寝具カバーを平らな平面上におき張力をかけずに測定するものとする。
【００１２】
本発明の寝具カバーを構成する繊維としては特に限定されず、ポリエステル繊維、ナイロン繊維、ポリウレタン弾性繊維、ポリエステル系弾性繊維などの合成繊維、木綿、羊毛などの天然繊維、レーヨン、アセテートなどの再生繊維などを用いることができる。
ここで、前記ポリエステル繊維としてはポリエステルを一成分として含む繊維である。ポリエステルは、テレフタル酸を主たるジカルボン酸成分とし、少なくとも１種のグリコール、好ましくは、エチレングリコール、トリメチレングリコール、テトラメチレングリコールなどから選ばれた少なくとも１種のアルキレングリコールを主たるグリコール成分とするポリエステルである。上記ポリエステルには、必要に応じて第３成分が共重合および／またはブレンドによって変性されていてもよい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１３】
なお、かかるポリエステルには、必要に応じて任意の添加剤、例えば触媒、着色防止剤、耐熱剤、難燃剤、酸化防止剤、無機微粒子などが含まれていてもさしつかえない。
前記ポリエステル繊維において、繊維の表面積を大きくして優れた消臭性、洗濯耐久性、吸水性などを得る上で、単繊維繊度５．０ｄｔｅｘ以下（好ましくは０．０００１〜１．５ｄｔｅｘ）であることが好ましい。
また、前記ポリエステル繊維は短繊維（紡績糸）でもよいが、優れた消臭性、洗濯耐久性、吸水性などを得る上で総繊度１０〜２００ｄｔｅｘ、フィラメント数３０〜５００００本（より好ましくは３０〜２００本）の長繊維（マルチフィラメント）であることが好ましい。
【００１４】
前記ポリエステル繊維としては、２成分がサイドバイサイドまたは偏心芯鞘型に貼り合わされた複合繊維でもよい。かかる複合繊維は通常、潜在捲縮が発現した捲縮を有しているので、ストレッチ性があり好ましい。その際、複合繊維を構成する２成分が、ポリトリメチレンテレフタレートとポリトリメチレンテレフタレートとの組合せ、ポリトリメチレンテレフタレートとポリエチレンテレフタレートとの組合せ、ポリエチレンテレフタレートとポリエチレンテレフタレートとの組合せの群から選ばれたいずれかの組合せであることが好ましい。
【００１５】
本発明の寝具カバーを構成する繊維は紡績糸でもよいし、長繊維（マルチフィラメント）でもよい。さらには、かかる長繊維（マルチフィラメント）には、仮撚捲縮加工や空気加工が施されていてもよい。
また、本発明の寝具カバーを構成する繊維として複合糸を用いることは寝具カバーにストレッチ性を付与することができ好ましい。例えば、芯糸としてポリウレタン弾性繊維、ポリエステル系弾性繊維、前記複合繊維のようなストレッチ性を有する繊維を配し、鞘糸として木綿や前記ポリエステル繊維を用い、撚糸またはカバリングしたものが好ましい。
【００１６】
本発明の寝具カバーは、前記のような丸編物を所定長さに裁断することにより製造することができる。
その際、丸編物の裁断前または裁断後に、通常の染色加工、減量加工、起毛加工、カレンダー加工、エンボス加工、蓄熱加工、吸水加工、抗菌加工などの後加工を適宜施しても良い。
裁断後、両端部は縫製によりほつれ防止を行うことは好ましい。
かくして得られた寝具カバーは簡単な工程で製造可能であり、また、側部が無縫製であると、取扱い性がよく、布団カバーや枕カバーなどとして好適に使用される。
【実施例】
【００１７】
本発明の実施例および比較例を詳述するが、本発明はこれらによって限定されるものではない。
【００１８】
［実施例１］
芯糸として市販のポリウレタン弾性糸２２ｄｔｅｘ／１ｆｉｌ（旭化成せんい（株）製、ロイカ（商品名））を用い、鞘糸として木綿からなる紡績糸（４０ｓ／１）を用いてカバリング機により複合糸を得た。
次いで、前記紡績糸と前記複合糸とを用い、丸編２８Ｇダブル機を使用して、丸編物を製造した後、長さ２５０ｃｍに裁断して、寝具カバーとして目付け１２０ｇ／ｍ２の布団カバー（木綿９８重量％、ポリウレタン弾性糸２重量％）を得た。
かかる布団カバー（寝具カバー）は、簡単な工程で製造可能であり、また、側部が無縫製であるため、取扱い性がよかった。
【００１９】
［比較例１］
実施例１で用いたのと同じ複合糸を用いて織物を製織した後、図２のように円筒状に縫製した。実施例１と比較して、側部を縫製する工程が必要であり、また、側部を縫製しているため取扱い性がよくなかった。
【産業上の利用可能性】
【００２０】
本発明によれば、簡単な工程で製造可能な寝具カバーが提供され、その工業的価値は極めて大である。
【図１】
2016000127.tif 000003
【図２】
2016000127.tif 000004